(57)【要約】【課題】電装部品を覆う金属製の電源箱カバーは、延出されて側板の上辺に係止されていて、側板の上辺に確実に位置決めができ、係止固定できると共に、係止される側板の位置から電源箱との間に所定距離以上の空間を設けるもので、電源箱カバーと電源箱側面に配設しているリード線貫通穴を保護する保護板とを一体化して電装部品への水及び粉塵の侵入防止が可能な熱源ユニットを提供する。【解決手段】矩形の筐体の側面を構成する側板２２と、電装部品を収容する電源箱２４と、電源箱２４の下面側に配置され、一部の電装部品を覆う金属製の電源箱カバー２５と、電源箱カバー２５から延出されて側板２２の上辺に係止固定される構成としている。【選択図】図１
2005147466.tif 000002
【特許請求の範囲】
【請求項１】
略矩形の筐体を有し、少なくとも天面に対して着脱可能な天板、前記筐体の側面を構成する側板と、電装部品を収容する電源箱とを有する熱源ユニットであって、前記側板と前記電源箱との間には空間部を設けたことを特徴とする熱源ユニット。
【請求項２】
電源箱の下面側の少なくとも一部の前記電装部品を覆うがごとく電源箱と嵌合して配設されているとともに、これから延出されて対向する前記側板の上辺に係止固定される係止片を有する金属製の電源箱カバーを有することを特徴とする請求項１記載の熱源ユニット。
【請求項３】
電源箱は係止片と対向する側面に電源箱内部から取り出されるリード先を導くリード線貫通穴を有することを特徴とする請求項１記載の熱源ユニット。
【請求項４】
電源箱カバーおよび側板は導電性を有するとともに、前記電源カバーにはアース止め部を配設し、電装部品から導出されたアース線を前記アース止め部に連結したことを特徴とする請求項２または３に記載の熱源ユニット。
【発明の詳細な説明】
【技術分野】
【０００１】
本発明は、冷凍サイクルにおいて用いられる熱源ユニットに関するものである。
【背景技術】
【０００２】
従来の空気調和機の室外ユニットでは、図6に示すように底板となる基板上に載置される熱交換器２の上辺部に係止させて固定することができる電源ボックス１と、熱交換器２及び電源ボックス１の上部を覆う天板８とを備え、緩衝材やねじを廃止して電源ボックスを固定することができるとともに、外部から熱交換器２及び電源ボックス１への衝撃を緩衝することができる発明が開示されている。
【特許文献１】特開平１１−８３０８３号公報（図１等）
【発明の開示】
【発明が解決しようとする課題】
【０００３】
しかしながら、前記従来の構成では、係合部３と緩衝部材９により電装ボックスの固定を行っているが、これでは確実に熱交換器に固定されていないため、輸送振動や外部からの力による載置部品の損傷の可能性があった。
【０００４】
本発明は、前記従来の課題を解決するもので、電源箱への衝撃を吸収して破損を防止するとともに、電装部品への水及び粉塵の侵入防止が可能な熱源ユニットの提供を目的とする。
【課題を解決するための手段】
【０００５】
前記従来の課題を解決するために、本発明の熱源ユニットは、略矩形の筐体を有し、少なくとも天面に対して着脱可能な天板、前記筐体の側面を構成する側板と、電装部品を収容する電源箱とを有する熱源ユニットであって、前記側板と前記電源箱との間には空間部を設けたことを特徴とする。
【発明の効果】
【０００６】
本願発明によれば、電源箱への衝撃を吸収して破損を防止するとともに、電装部品への水及び粉塵の侵入を未然に防止することができる。
【発明を実施するための最良の形態】
【０００７】
本願発明は、略矩形の筐体の側面を構成する側板と、電装部品を収容する電源箱との間に空間部を設けることで、熱源ユニットに対する衝撃が電源箱に伝わりにくくなり、電源箱の破損を極力抑制することができる。
【０００８】
また、電源箱の下面側に配置され、一部の電装部品を覆う金属製の電源箱カバーを有して、この電源箱カバーから延出されて側板の上辺に係止固定されることを特徴とする。これにより、側板の上部に電源箱カバーを確実に係止固定することができ、安定性が向上する。また金属の係止片を有することで、側板への衝撃の電源箱への伝播をより緩衝する効果も期待できる。
【０００９】
更には、電源箱側面に配設しているリード線貫通穴を保護する係止片が、側板の上部に確実に固定されているため、電源箱内への水及び粉塵の侵入を防止することができる。
【００１０】
請求項２に記載の発明は、係止される側板の位置から電源箱との間に所定距離以上の空間を設けることを特徴とする。これにより、側板と電源箱カバーとの間に空間があるため
、電源箱内の電装部品への水及び粉塵の侵入を防止することができ、係止される側板の位置から電源箱との間の空間の距離は３０〜５０ｍｍ程度であることが好適である。
【００１１】
更に、係止される側板の位置から電源箱との間との空間に、電源箱カバーの下部側面から側板の上辺に向かって斜め上方向に係止片を延出させたことを特徴とする。
【００１２】
また、本願発明の熱源ユニットは、側板上面と合わさる係止片の上面に挿入穴を設けたことを特徴とする。これにより、側板の上部に、係止片の上面の挿入穴と合わさる部位にフランジ穴を設けて、ねじを用いて固定させることにより、ねじの取付や取外し及び電源箱の着脱が容易にできることを特徴とする。
【００１３】
以下、本発明の実施例について、図面を参照にしながら説明する。
【００１４】
最初に、図１〜図２を用いて熱源ユニットの構成について説明する。同図において熱源ユニット１０は、矩形の筐体の側面に側板２２、基板２１上に熱交換器２８、圧縮機２７等を配設し、更に熱交換器２８と圧縮機２７との空間に仕切板２６を配設し、仕切板２６の上方に電源箱２４を載置し、電源箱２４の側面にはリード線貫通穴４３を配設している。
【００１５】
また、電源箱２４の下面側に配置され、一部の電装部品を覆う金属製の電源箱カバー２５は、電源箱カバー２５から延出されて側板２２の上辺に係止固定されている。また、電源箱側面に配設しているリード線貫通穴を保護する係止片２９は電源板カバー２５と一体に形成されている。
【００１６】
尚、側板２２の上面と合わさる係止片２９の上面に挿入穴４０を設けて、側板２２の上辺に係止片２９の挿入穴４０と合わさる部位にフランジ穴４１を設けて、ねじ４２を用いて上方から係止片２９を固定する。側板２２の最上面の係止片２９と合わさる位置に係止片２９の係止幅より１〜５ｍｍ程度広い幅で係止片２９の板厚相当の深さの絞り形状を設け、更に、挿入穴４０とフランジ穴４１とに合わさるねじ４２は、締付け位置の高さ方向を低くすることにより、天板２３との干渉を防止している。
【００１７】
上記の構成において、電源箱２４と電源箱カバー２５は、側板２２に係止して確実に固定され、仕切板２６の上方に載置固定されることにより、電源箱カバー２５の取付時に位置決めがしやすく、係止幅Ｂの寸法を長く取ることで安定性が向上する。更には、係止片２９により電源箱２４の側面に配設しているリード線貫通穴４３を保護しているので電源箱２４内への水及び粉塵の侵入を防止することができる。
【００１８】
また、側板２２から電源箱カバー２５との間に３０ｍｍ〜５０ｍｍの空間距離Ａを有する空間部５０を設けているので、外部から側板２２と天板２３との隙間を介して電源箱２４内への水及び粉塵の侵入を防止することができる。
【００１９】
また、側板２２の上部に、係止片２９の上面の挿入穴４０と合わさる部位にフランジ穴４１を設けて、ねじ４２を用いて固定させることにより、ねじ４２の取付や取外し及び電源箱の着脱が容易にできるため、作業性及びサービス性を向上させることができる。
【００２０】
尚、電源箱カバー２５と電源箱２４の側面に配設しているリード線貫通穴４３を保護する係止片２９とを一体化しているが、電源箱カバー２５から延出されて直接、側板２２の上辺に係止固定しなくても、電源箱カバー２５と係止片２９は別部品であって複数の締結具を用いて結合してもよい。
【００２１】
更に、係止される側板２２の位置から電源箱２４との間との空間距離Ａに、金属製の電源箱カバー２５の下部側面から側板２２の上辺に向かって斜め上方向に係止片２９を延出させているので、外部からの発火等において内部に侵入した場合、係止片２９の下方を経由して係止片２９の係止部に直接当たる構造となり、電源箱２４または電源箱２４の内部の電装部品に触れることがない。
【００２２】
また、基板２１から側板２２、係止片２９を経由して電源箱カバー２５までは金属で繋がっているので、係止片２９または電源箱カバー２５の側面にねじ穴４４を配設して、電源箱２４内の電装部品からねじ穴４４までの短いリード線長のアース線３０を締付固定することが可能となり、コストが削減できると共に、作業性を向上させることができる。
【産業上の利用可能性】
【００２３】
本願発明の熱源ユニットは、空気調和機、ヒートポンプ給湯機の熱源ユニット、など、電装部品を具備した電源箱を天面側に内蔵した機器に対して適用することができる。
【図面の簡単な説明】
【００２４】
【図１】（ａ）本発明の一実施例による熱源ユニットの斜視構成模式図（ｂ）係止片の係合状態を示す側面模式図
【図２】本発明の一実施例による熱源ユニットの斜視構成模式図
【図３】本発明の一実施例による電源箱および電源箱カバーの組立構成模式図
【図４】従来例による空気調和機の室外機の正面図
【符号の説明】
【００２５】
１  電源ボックス
２  熱交換器
８  天板
９  爪
１１  側板
２１  基板
２２  側板
２３  天板
２４  電源箱
２５  電源箱カバー
２６  仕切板
２９  係止片
３０  アース線
３１  電線
４０  挿入穴
４１  フランジ穴
４３  リード線貫通穴
５０  空間部
Ａ  空間距離（電源箱カバーから側板）
Ｂ  係止幅
【図１】
2005147466.tif 000003
【図２】
2005147466.tif 000004
【図３】
2005147466.tif 000005
【図４】
2005147466.tif 000006